【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
少なくとも一つの操作用のスイッチを有する第１の入力部と信号を出力することができる操作用のスイッチを有する第２の入力部とを備える入力手段からの信号に基づいてゲーム全体の制御を行う制御手段、
表示手段の画面上に、前記入力手段の第１の入力部に対応する表示物であって、前記入力手段の操作を指示するための領域を有する演奏指示表示物を楽譜オブジェクトとしてスクロール表示する楽譜オブジェクト表示手段、
スクロール表示される前記演奏指示表示物に重ねて表示される、前記領域の先端部が重なったときに前記第１の入力部と前記第２の入力部の操作を指示し、前記領域の後端部が重なったときに前記第１の入力部の操作終了を指示するためのタイミング線を表示する演奏タイミング表示手段、
としてコンピュータを機能させるためのプログラムを記録したコンピュータ読み取り可能な記録媒体。
【請求項２】
更に、前記入力手段の前記第１の入力部と前記第２の入力部とが操作されたときに前記制御手段から送られる信号に従って、前記操作に対応する音のデータを記憶手段から読み出して音を再生する再生手段としてコンピュータを機能させるためのプログラムを記録した請求項１記載の記録媒体。
【請求項３】
更に、演奏する曲に合わせてリズム取りを補助するために前記画面上で、上下方向に移動するリズム取り表示物を表示するリズム取り表示手段としてコンピュータを機能させるためのプログラムを記録した請求項１又は２記載の記録媒体。
【請求項４】
更に、前記入力手段から入力された演奏タイミングと、前記画面で指示したタイミングとの時間差を各演奏タイミング毎に算出するずれ算出手段、
前記表示手段の画面上に前記入力手段から入力された演奏タイミングを示す表示物を、各演奏したタイミング毎に、演奏すべきタイミングとのずれが分かるように前記画面上にスクロール表示される前記演奏指示表示物における前又は後に、前記ずれ算出手段が算出した時間差に応じた位置に表示するタイミングずれ表示手段、
としてコンピュータを機能させるためのプログラムを記録した請求項１，２又は３記載の記録媒体。
【請求項５】
更に、タッピング奏法で演奏するモードであることを前記画面上に指示するタッピング奏法指示手段、
前記モードにおいて、前記第１の入力部のあるスイッチが押されているときに、そのスイッチを押したままで、そのスイッチより高音側のスイッチを押したときにハンマリングであると判断し、押されているスイッチが離されて、その押されていたスイッチより低音側のスイッチが押されたときにプリングと判断する判断手段、
前記判断手段が、ハンマリングと判断したときには、新たに押されたスイッチのハンマリング用にサンプリングされた音を再生し、プリングと判断したときには、前記新たに押されたスイッチのプリング用にサンプリングされた音を再生するタッピング奏法制御手段、
としてコンピュータを機能させるためのプログラムを記録した請求項１，２，３又は４記載の記録媒体。
【請求項６】
前記入力手段はギターの形状をしており、前記第１の操作部はギターのフレットで区切られた部分に対応する複数のフレットスイッチを有し、前記第２の操作部はギターの弾弦部に対応する弦スイッチを有するものであることを特徴とする請求項１乃至５の何れか１項に記載の記録媒体。
【請求項７】
前記楽譜オブジェクト表示手段が前記画面上に表示する前記演奏指示表示物は、ギターのフレットが形成された棹状の台板に似た表示物であることを特徴とする請求項６記載の記録媒体。
【請求項８】
前記弦スイッチは回動自在であり、その動きはボリュームに伝えられ、前記弦スイッチが弾かれて動いたときの前記ボリュームの移動量は所定の期間毎に刻まれたデジタルの多値データとして前記制御手段に送られ、
前記制御手段は、前記データ毎に直近のデータとの差分を取りその差分がマイナスになったときに、音を再生するように制御することを特徴とする請求項６又は７記載の記録媒体。
【請求項９】
前記制御手段は、前記弦スイッチを上から下に弾いたときと、下から上に弾いたときとで、異なった音を再生するように制御することを特徴とする請求項６、７又は８記載の記録媒体。
【請求項１０】
更に、前記表示手段の画面に前記弦スイッチを上から下に弾くか、或いは下から上に弾くかを指示する表示を行う手段としてコンピュータを機能させるためのプログラムを記録した請求項６乃至９の何れか１項に記載の記録媒体。
【請求項１１】
前記入力手段は、前記弦スイッチを上から下に弾いたときと、下から上に弾いたときで、符号の異なる信号を出力することを特徴とする請求項６乃至１０の何れか１項に記載の記録媒体。
【請求項１２】
ギターのフレットで区切られた部分に対応する位置に設けられたフレットスイッチとギターの弾弦部に対応する弦スイッチとを備える、ギターの形状をした入力手段からの信号に基づいてゲーム全体の制御を行う制御手段、
表示手段の画面上に、各フレットスイッチが異なる色で色分けされた、前記入力手段に対応する電子ギター画を表示する電子ギター画表示手段、
前記表示手段の画面上に、前記入力手段のフレットスイッチが形成された棹状の台板に似た表示物であって、前記フレットスイッチに対応する領域を有し且つ前記領域はプレーヤーに押さえて欲しいフレットスイッチに対応する部分が前記電子ギター画の対応するフレットスイッチの色で表示されるものである演奏指示表示物を楽譜オブジェクトとしてスクロール表示する楽譜オブジェクト表示手段、
スクロール表示される前記演奏指示表示物に重ねて表示される、前記領域の先端部が重なったときに、その領域の色に対応する前記入力手段の前記フレットスイッチを押さえて前記弦スイッチを操作する指示を行い、前記領域の後端部が重なったときに前記フレットスイッチの操作終了を指示するためのタイミング線を表示する演奏タイミング表示手段、
としてコンピュータを機能させるためのプログラムを記録したコンピュータ読み取り可能な記録媒体。
【請求項１３】
ギターのフレットで区切られた部分に対応する位置に設けられたフレットスイッチとギターの弾弦部に対応する弦スイッチとを備える、ギターの形状をした入力手段からの信号に基づいてゲーム全体の制御を行う制御手段、
表示手段の画面上に、各フレットスイッチが異なる色で色分けされた、前記入力手段に対応する電子ギター画を表示する電子ギター画表示手段、
前記表示手段の画面上に、前記入力手段のフレットスイッチが形成された棹状の台板に似た表示物であって、前記フレットスイッチに対応する領域を有し且つ前記領域はプレーヤーに押さえて欲しいフレットスイッチに対応する部分が前記電子ギター画の対応するフレットスイッチの色で表示されるものである演奏指示表示物を楽譜オブジェクトとしてスクロール表示する楽譜オブジェクト表示手段、
スクロール表示される前記演奏指示表示物に重ねて表示される、前記領域の先端部が重なったときに、その領域の色に対応する前記入力手段の前記フレットスイッチを押さえて前記弦スイッチを操作する指示を行い、前記領域の後端部が重なったときに前記フレットスイッチの操作終了を指示するためのタイミング線を表示する演奏タイミング表示手段、
プレーヤーが、指示されたフレットスイッチと異なる前記フレットスイッチを押さえて前記弦スイッチを操作したり、指示されたタイミングと異なるタイミングで前記フレットスイッチと前記弦スイッチを操作したりしたときに、前記表示手段の画面上に表示される体力メータの表示を減らす体力メータ表示手段、
としてコンピュータを機能させるためのプログラムを記録したコンピュータ読み取り可能な記録媒体。
【請求項１４】
ギターのフレットで区切られた部分に対応する位置に設けられたフレットスイッチとギターの弾弦部に対応する弦スイッチとを備える、ギターの形状をした入力手段からの信号に基づいてゲーム全体の制御を行う制御手段、
表示手段の画面上に、各フレットスイッチが異なる色で色分けされた、前記入力手段に対応する電子ギター画を表示する電子ギター画表示手段、
前記表示手段の画面上に、前記入力手段のフレットスイッチが形成された棹状の台板に似た表示物であって、前記フレットスイッチに対応する領域を有し且つ前記領域はプレーヤーに押さえて欲しいフレットスイッチに対応する部分が前記電子ギター画の対応するフレットスイッチの色で表示されるものである演奏指示表示物を楽譜オブジェクトとしてスクロール表示する楽譜オブジェクト表示手段、
スクロール表示される前記演奏指示表示物に重ねて表示される、前記領域の先端部が重なったときに、その領域の色に対応する前記入力手段の前記フレットスイッチを押さえて前記弦スイッチを操作する指示を行い、前記領域の後端部が重なったときに前記フレットスイッチの操作終了を指示するためのタイミング線を表示する演奏タイミング表示手段、
前記表示手段の画面上に、プレーヤーが押さえた前記フレットスイッチに対応する前記電子ギター画のフレットスイッチの色に対応する色のオブジェクトを表示するオブジェクト表示手段、
としてコンピュータを機能させるためのプログラムを記録したコンピュータ読み取り可能な記録媒体。
【請求項１５】
ギターのフレットで区切られた部分に対応する位置に設けられたフレットスイッチとギターの弾弦部に対応する弦スイッチとを備える、ギターの形状をした入力手段からの信号に基づいてゲーム全体の制御を行う制御手段、
表示手段の画面上に、各フレットスイッチが異なる色で色分けされた、前記入力手段に対応する電子ギター画を表示する電子ギター画表示手段、
前記表示手段の画面上に、前記入力手段のフレットスイッチが形成された棹状の台板に似た表示物であって、前記フレットスイッチに対応する領域を有し且つ前記領域はプレーヤーに押さえて欲しいフレットスイッチに対応する部分が前記電子ギター画の対応するフレットスイッチの色で表示されるものである演奏指示表示物を楽譜オブジェクトとしてスクロール表示する楽譜オブジェクト表示手段、
スクロール表示される前記演奏指示表示物に重ねて表示される、前記領域の先端部が重なったときに、その領域の色に対応する前記入力手段の前記フレットスイッチを押さえて前記弦スイッチを操作する指示を行い、前記領域の後端部が重なったときに前記フレットスイッチの操作終了を指示するためのタイミング線を表示する演奏タイミング表示手段、
プレーヤーが、指示されたフレットスイッチと異なる前記フレットスイッチを押さえて前記弦スイッチを操作したり、指示されたタイミングと異なるタイミングで前記フレットスイッチと前記弦スイッチを操作したりしたときに、前記表示手段の画面上に表示される体力メータの表示を減らす体力メータ表示手段、
前記表示手段の画面上に、プレーヤーが押さえた前記フレットスイッチに対応する前記電子ギター画のフレットスイッチの色に対応する色のオブジェクトを表示するオブジェクト表示手段、
としてコンピュータを機能させるためのプログラムを記録したコンピュータ読み取り可能な記録媒体。
【請求項１６】
ギターのフレットで区切られた部分に対応する位置に設けられたフレットスイッチとギターの弾弦部に対応する弦スイッチとを備える、ギターの形状をした入力手段からの信号に基づいてゲーム全体の制御を行う制御手段、
表示手段の画面上に、各フレットスイッチが異なる色で色分けされた、前記入力手段に対応する電子ギター画を表示する電子ギター画表示手段、
前記表示手段の画面上に、前記入力手段のフレットスイッチが形成された棹状の台板に似た表示物であって、前記フレットスイッチに対応する領域を有し且つ前記領域は演奏の開始を指示するためのギターのフレットに対応するフレット画部を先頭部分に含むものである演奏指示表示物を楽譜オブジェクトとしてスクロール表示する楽譜オブジェクト表示手段、
スクロール表示される前記演奏指示表示物に重ねて表示される、前記領域の前記フレット画部が重なったときに、その領域の色に対応する前記入力手段の前記フレットスイッチを押さえて前記弦スイッチを操作する指示を行い、前記領域の後端部が重なったときに前記フレットスイッチの操作終了を指示するためのタイミング線を表示する演奏タイミング表示手段、
としてコンピュータを機能させるためのプログラムを記録したコンピュータ読み取り可能な記録媒体。
【請求項１７】
ギターのフレットで区切られた部分に対応する位置に設けられたフレットスイッチとギターの弾弦部に対応する弦スイッチとを備える、ギターの形状をした入力手段からの信号に基づいてゲーム全体の制御を行う制御手段、
表示手段の画面上に、各フレットスイッチが異なる色で色分けされた、前記入力手段に対応する電子ギター画を表示する電子ギター画表示手段、
前記表示手段の画面上に、前記入力手段のフレットスイッチが形成された棹状の台板に似た表示物であって、前記フレットスイッチに対応する領域を有し且つ前記領域は演奏の開始を指示するためのギターのフレットに対応するフレット画部を先頭部分に含むものである演奏指示表示物を楽譜オブジェクトとしてスクロール表示する楽譜オブジェクト表示手段、
スクロール表示される前記演奏指示表示物に重ねて表示される、前記領域の前記フレット画部が重なったときに、その領域の色に対応する前記入力手段の前記フレットスイッチを押さえて前記弦スイッチを操作する指示を行い、前記領域の後端部が重なったときに前記フレットスイッチの操作終了を指示するためのタイミング線を表示する演奏タイミング表示手段、
プレーヤーが、指示されたフレットスイッチと異なる前記フレットスイッチを押さえて前記弦スイッチを操作したり、指示されたタイミングと異なるタイミングで前記フレットスイッチと前記弦スイッチを操作したりしたときに、前記表示手段の画面上に表示される体力メータの表示を減らす体力メータ表示手段、
としてコンピュータを機能させるためのプログラムを記録したコンピュータ読み取り可能な記録媒体。
【請求項１８】
ギターのフレットで区切られた部分に対応する位置に設けられたフレットスイッチとギターの弾弦部に対応する弦スイッチとを備える、ギターの形状をした入力手段からの信号に基づいてゲーム全体の制御を行う制御手段、
表示手段の画面上に、各フレットスイッチが異なる色で色分けされた、前記入力手段に対応する電子ギター画を表示する電子ギター画表示手段、
前記表示手段の画面上に、前記入力手段のフレットスイッチが形成された棹状の台板に似た表示物であって、前記フレットスイッチに対応する領域を有し且つ前記領域は演奏の開始を指示するためのギターのフレットに対応するフレット画部を先頭部分に含むものである演奏指示表示物を楽譜オブジェクトとしてスクロール表示する楽譜オブジェクト表示手段、
スクロール表示される前記演奏指示表示物に重ねて表示される、前記領域の前記フレット画部が重なったときに、その領域の色に対応する前記入力手段の前記フレットスイッチを押さえて前記弦スイッチを操作する指示を行い、前記領域の後端部が重なったときに前記フレットスイッチの操作終了を指示するためのタイミング線を表示する演奏タイミング表示手段、
前記表示手段の画面上に、プレーヤーが押さえた前記フレットスイッチに対応する前記電子ギター画のフレットスイッチの色に対応する色のオブジェクトを表示するオブジェクト表示手段、
としてコンピュータを機能させるためのプログラムを記録したコンピュータ読み取り可能な記録媒体。
【請求項１９】
ギターのフレットで区切られた部分に対応する位置に設けられたフレットスイッチとギターの弾弦部に対応する弦スイッチとを備える、ギターの形状をした入力手段からの信号に基づいてゲーム全体の制御を行う制御手段、
表示手段の画面上に、各フレットスイッチが異なる色で色分けされた、前記入力手段に対応する電子ギター画を表示する電子ギター画表示手段、
前記表示手段の画面上に、前記入力手段のフレットスイッチが形成された棹状の台板に似た表示物であって、前記フレットスイッチに対応する領域を有し且つ前記領域は演奏の開始を指示するためのギターのフレットに対応するフレット画部を先頭部分に含むものである演奏指示表示物を楽譜オブジェクトとしてスクロール表示する楽譜オブジェクト表示手段、
スクロール表示される前記演奏指示表示物に重ねて表示される、前記領域の前記フレット画部が重なったときに、その領域の色に対応する前記入力手段の前記フレットスイッチを押さえて前記弦スイッチを操作する指示を行い、前記領域の後端部が重なったときに前記フレットスイッチの操作終了を指示するためのタイミング線を表示する演奏タイミング表示手段、
前記表示手段の画面上に、プレーヤーが押さえた前記フレットスイッチに対応する前記電子ギター画のフレットスイッチの色に対応する色のオブジェクトを表示するオブジェクト表示手段、
プレーヤーが、指示されたフレットスイッチと異なる前記フレットスイッチを押さえて前記弦スイッチを操作したり、指示されたタイミングと異なるタイミングで前記フレットスイッチと前記弦スイッチを操作したりしたときに、前記表示手段の画面上に表示される体力メータの表示を減らす体力メータ表示手段、
としてコンピュータを機能させるためのプログラムを記録したコンピュータ読み取り可能な記録媒体。
【請求項２０】
表示手段の画面に表示された指示に従って演奏するための入力手段を備えたゲーム装置において、
前記入力手段は、少なくとも一つの操作用のスイッチを有する第１の入力部と、信号を出力することができる操作用のスイッチを有する第２の入力部とを備えるものであり、
前記入力手段からの信号に基づいてゲーム全体の制御を行う制御手段と、
予め前記入力手段を用いて演奏したときの音を記憶する記憶手段と、
前記入力手段の前記第１の入力部と前記第２の入力部とが操作されたときに前記制御手段から送られる信号に従って、前記操作に対応する音を前記記憶手段から読み出して音を再生する再生手段と、
前記表示手段の画面上に、前記入力手段の第１の入力部に対応する表示物であって、前記入力手段の操作を指示するための領域を有する演奏指示表示物を楽譜オブジェクトとしてスクロール表示する楽譜オブジェクト表示手段と、
スクロール表示される前記演奏指示表示物に重ねて表示される、前記領域の先端部が重なったときに前記第１の入力部と前記第２の入力部の操作を指示し、前記領域の後端部が重なったときに前記第１の入力部の操作終了を指示するためのタイミング線を表示する演奏タイミング表示手段と、
を具備することを特徴とするゲーム装置。
【手続補正２】
【補正対象書類名】明細書
【補正対象項目名】０００７
【補正方法】変更
【補正の内容】
【０００７】
本発明に係るコンピュータ読み取り可能な記録媒体は、少なくとも一つの操作用のスイッチを有する第１の入力部と信号を出力することができる操作用のスイッチを有する第２の入力部とを備える入力手段からの信号に基づいてゲーム全体の制御を行う制御手段、表示手段の画面上に、前記入力手段の第１の入力部に対応する表示物であって、前記入力手段の操作を指示するための領域を有する演奏指示表示物を楽譜オブジェクトとしてスクロール表示する楽譜オブジェクト表示手段、スクロール表示される前記演奏指示表示物に重ねて表示される、前記領域の先端部が重なったときに前記第１の入力部と前記第２の入力部の操作を指示し、前記領域の後端部が重なったときに前記第１の入力部の操作終了を指示するためのタイミング線を表示する演奏タイミング表示手段、としてコンピュータを機能させるためのプログラムを記録したものである。
【手続補正３】
【補正対象書類名】明細書
【補正対象項目名】０００８
【補正方法】変更
【補正の内容】
【０００８】
また、本発明に係るゲーム装置は、表示手段の画面に表示された指示に従って演奏するための入力手段を備えたゲーム装置において、前記入力手段は、少なくとも一つの操作用のスイッチを有する第１の入力部と、信号を出力することができる操作用のスイッチを有する第２の入力部とを備えるものであり、前記入力手段からの信号に基づいてゲーム全体の制御を行う制御手段と、予め前記入力手段を用いて演奏したときの音を記憶する記憶手段と、前記入力手段の前記第１の入力部と前記第２の入力部とが操作されたときに前記制御手段から送られる信号に従って、前記操作に対応する音を前記記憶手段から読み出して音を再生する再生手段と、前記表示手段の画面上に、前記入力手段の第１の入力部に対応する表示物であって、前記入力手段の操作を指示するための領域を有する演奏指示表示物を楽譜オブジェクトとしてスクロール表示する楽譜オブジェクト表示手段と、スクロール表示される前記演奏指示表示物に重ねて表示される、前記領域の先端部が重なったときに前記第１の入力部と前記第２の入力部の操作を指示し、前記領域の後端部が重なったときに前記第１の入力部の操作終了を指示するためのタイミング線を表示する演奏タイミング表示手段と、を具備することを特徴とするものである。